(57)【要約】【課題】  本考案は攪砂システムを提供する。【解決手段】  本考案のシステムは攪砂船を含む。攪砂船は少なくとも１つの浮遊体と、浮遊体に設置された少なくとも１つのボードを含む。ボードは攪砂の時、水流に挿入され、ボードの外縁と川底との間に間隔を形成する。水流は、この間隔を流れながら、川底の土砂を撹乱する。本考案は攪砂効果を強化して、水災を根治することができる。また、考案を実施しやすく、黄河及びその他水域で手広く使うことができる。【選択図】  図４
0003149885.tif 000002
【実用新案登録請求の範囲】
【請求項１】
攪砂船を含む攪砂システムにおいて、
前記攪砂船は、水流に浮かんでいる少なくとも１つの浮遊体と、
前記浮遊体に設置された少なくとも１つのボードを含み、
攪砂の時、前記ボードが前記水流に挿入され、前記ボードの外縁と川底との間に１つの間隔を形成し、
前記水流が前記間隔を流れながら、川底の土砂を撹乱することを特徴とする攪砂システム。
【請求項２】
水流に対して固定設置された回転盤と、柔軟性鎖を更に含み、
前記柔軟性鎖の一端は前記浮遊体と固定接続され、前記柔軟性鎖の他端は前記回転盤に巻き付けられ、
前記浮遊体が水流からの推力によって水流に沿って運行する時、巻き付けられた前記柔軟性鎖を牽引して、前記回転盤を回転させることを特徴とする請求項1記載の攪砂システム。
【請求項３】
変速器を通じて前記回転盤の回転軸と接続する発電機を更に含み、
前記回転盤が回転する時、前記発電機を発電させることを特徴とする請求項２記載の攪砂システム。
【請求項４】
前記回転盤と接続された第１動力装置を更に含み、
攪砂停止時において、前記第１動力装置は、前記回転盤を駆動して回転させて、前記柔軟性鎖を巻き、前記浮遊体を前記水流と逆向きに運行させることを特徴とする請求項２又は３記載の攪砂システム。
【請求項５】
前記ボードの一端と前記浮遊体とを枢軸連結するとともに水平に設置される枢着軸と、
該枢着軸と接続された第２動力装置を更に含み、
前記浮遊体が前記水流と同方向に運行して攪砂する時、前記第２動力装置は前記ボードを駆動して回転させて、前記ボードと川底との間の間隔を変更し、
前記浮遊体が前記水流と逆向きに運行する時、前記第２動力装置が前記ボードを駆動して水流から移出するまで回転させることを特徴とする請求項１乃至３いずれかに記載の攪砂システム。
【請求項６】
複数個の前記攪砂船が水流方向に沿って直列で設置されることを特徴とする請求項１乃至３いずれかに記載の攪砂システム。
【請求項７】
前記浮遊体と柔軟性鎖の個数は全て２つであり、
２つの前記浮遊体と接続された２つの柔軟性鎖はそれぞれ滑車組を通じて１つの前記回転盤と接続され、
一の前記柔軟性鎖は巻き付けられた状態であり、
他の１つの前記柔軟性鎖は解かれた状態であり、
一の前記浮遊体は水流の推力によって前記水流と同方向に運行し、前記回転盤を回転させ、
他の１つの浮遊体は回転盤の回転によって前記水流と逆方向に運行し、
２つの前記浮遊体の運行範囲が水流方向で重ならないことを特徴とする請求項２又は３記載の攪砂システム。
【請求項８】
前記回転盤の個数は２つであり、
これら回転盤の上にそれぞれ１つの前記柔軟性鎖が巻き付けられ、
一の前記柔軟性鎖は巻き付けられた状態であり、
他の１つの前記柔軟性鎖は解かれた状態であり、
前記発電機の個数は１つであり、
２つの前記回転盤の回転軸とそれぞれ接続された２つの変速器はそれぞれ１つのクラッチあるいはラチェットを通じて前記発電機の両端に接続され、
２つ回転盤の回転軸の他端はそれぞれ１つの動力装置と接続され、
前記柔軟性鎖それぞれの一端はそれぞれ１つの前記浮遊体が接続され、
２つの前記浮遊体の柔軟性鎖はそれぞれ滑車組を通じて２つの前記回転盤と接続され、
一の前記浮遊体は水流からの推力によって前記水流と同方向に運行し、接続された回転盤を回転させて前記発電機を発電させ、
他の１つの前記浮遊体に接続された回転盤は、動力装置の駆動によって回転し、接続された浮遊体を前記水流と逆向きに運行させて、２つの前記浮遊体の運行範囲は水流方向で重ならないことを特徴とする請求項３記載の攪砂システム。
【請求項９】
前記浮遊体に設置された第３動力装置を更に含み、
攪砂の時、前記第３動力装置は、前記浮遊体を駆動して前記水流と所定の速度差を形成することを特徴とする請求項１記載の攪砂システム。
【考案の詳細な説明】
【技術分野】
【０００１】
本考案は調水調砂技術に関し、特に攪砂システムに関する。
【背景技術】
【０００２】
古来より、水の欠乏、過剰の砂並びに水と砂の不均衡は黄河水災の根源となっている。黄河は毎年16億トンの土砂を下流にもたらす。そのうち、４億トンが下流川底に沈積され、年平均10センチメートル速度で堆積する。結果として、下流川底の平均高さは付近の地面より4〜6メートルも高くなり、世界的に有名な「地上懸河」を形成するに至っている。
【０００３】
黄河の実情を鑑みて、中国では「調水調砂」方策が提案されている。すなわち、川水の固有の運動エネルギを用いて、人工的に川底の土砂を撹乱して、川底を下方に掘り下げることを実現して、最大限量の砂を海に向かわせることを可能とする。この方策において、人工的に川底の土砂を撹乱することを目的として、主に空気圧縮機と高圧ノズルが装着された攪砂船が用いられる。攪砂船は、土砂の沈積面から約0.5メートル上方で高圧衝撃を生じさせ、その区域に沈積された土砂を充分に撹乱する。
このような攪砂船の高圧ノズルが与える土砂沈積面への高圧衝撃は、衝撃面積が小さいため、広範囲な黄河土砂沈積区間に対して攪砂効果が明確に現れない。このため、既存の技術では、通常、土砂沈積が深刻な地点だけ攪砂が行なわれる。撹乱された砂は、更に下流の区間に沈むこととなるため、砂を根本的に制御するという目的を達成することができない。更に、川水全体の砂に対して調整を行おうとすれば、費用が多大となり、このことも砂の根本的な制御の困難性の原因となっている。
【考案の開示】
【考案が解決しようとする課題】
【０００４】
本考案の目的は攪砂システムを提供して、攪砂効果を大きくして、水災を根治することである。
【課題を解決するための手段】
【０００５】
上記目的を達成するために、本考案は攪砂システムを提供する。攪砂船は、水流に浮かんでいる少なくとも１つの浮遊体、この浮遊体に設置された少なくとも１つのボードを含む。このボードは攪砂の時、水流に挿入され、ボードの外縁と川底との間に間隔を形成する。水流は、間隔を流れながら、川底の土砂を撹乱する。
【考案の効果】
【０００６】
上記技術的手段から明らかであるが、本考案はボードを使って水流を阻隔して、水流がボード外縁と川底の間の間隔を高速で流れながら、土砂を撹乱して押し出す。
既存技術の攪砂船の高圧ノズルは、土砂沈積面に高圧衝撃を与える時の衝撃面積が少なく黄河の広範囲な土砂沈積区間に対して攪砂効果が明確ではないが、本考案は当該技術的課題を克服する。また浮遊体の運行によって川の比較的長い区間で攪砂を進行することができ、土砂沈積問題を根本的に制御することができる。本考案は攪砂効果を強化することができ、水災を根治することが可能となる。また考案は簡単な構成であるため、黄河及びその他の水域で簡便且つ手広く使うことができる。
【図面の簡単な説明】
【０００７】
【図１】本考案にかかる攪砂システムの水流攪沙原理を示した側面図である。
【図２】本考案にかかる攪砂システムの水流攪沙原理を示した水路断面図である。
【図３】本考案にかかる攪砂システムの第１の実施形態の構成を示した図面である。
【図４】本考案にかかる攪砂システムの第２の実施形態の構成を示した図面である。
【図５】本考案にかかる攪砂システムの第２の実施形態に用いられるボードを水面から移出する機構を示した図面である。
【図６】本考案にかかる攪砂システムの第３の実施形態の構成を示した図面である。
【図７】本考案にかかる攪砂システムの第４の実施形態の構成を示した図面である。
【図８】本考案にかかる攪砂システムの第５の実施形態の構成を示した図面である。
【図９】本考案にかかる攪砂システムの第６の実施形態の構成を示した図面である。
【考案を実施するための形態】
【０００８】
以下、図面を参照しつつ、本考案について説明する。
図１は本考案にかかる攪砂システムの水流攪砂原理を示した側面図である。図１において、本考案にかかる攪砂システムは主に攪砂船を含む。攪砂船は、少なくとも１つの浮遊体（１）と、この浮遊体（１）に設置された少なくとも１つのボード（２）を含む。このボード（２）を川水に挿入するとともに水流方向と所定の夾角を持たせると、ボード（２）は水流から推力を受け、浮遊体（１）を移動させる。水流はボード（２）に阻隔されて、ボード（２）の外下縁と川底との間の間隔を、速度を増して流れながら、川底の土砂を撹乱する。水流の攪砂能力が水流速度の平方と正比例するという原理に基づいて、 ボード（２）と水流方向との間の夾角を大きくすると、ボード（２）の外下縁と川底との間の間隔が小さくなり、上記間隔を流れる水流速度が大きくなる。したがって、本考案にかかる攪砂システムの攪砂船の攪砂効果が更に顕著になり、川底を下に広げる速度が更に高まる。
図２は本考案にかかる攪砂システムの水流攪砂原理を示した水路断面図である。図２に示すように、 同じ原理を用いて、ボード（２）と水流方向との間の夾角を大きくすると、ボード（２）の外縁と川の両辺との間の間隔が小さくなり、両辺の間を流れる水流の速度が非常に大きくなる。よって、本考案にかかる攪砂システムの攪砂船が川両辺を広げる速度が早くなる。
【０００９】
（攪砂システム実施形態１）
図３は本考案にかかる攪砂システムの第１の実施形態の構成を示す図面である。
図３に示すように、このシステムは黄河水域に設置され、流れ方向が一定な水流を利用して砂を撹乱する。このシステムは、具体的には、回転盤（３）と、浮遊体（１）とボード（２）で構築された攪砂船とを含む。攪砂船は、柔軟性鎖（４）を通じて、回転盤（３）と接続する。回転盤（３）は水流に対して固定設置され、川底部分に固定挿入される。あるいはダムや川辺に固定されることができる。 攪砂船は具体的には川水の上に浮かぶ少なくとも一つの浮遊体（１）（具体的には通常の船体を浮遊体（１）として使うことができる）と、この浮遊体（１）に設置された少なくとも１つのボード（２）を含む。攪砂の時、ボード（２）を水流に挿入して、ボード（２）の方向と水流流れ方向が所定の夾角をなすようにする。この夾角は、０度より大きくて、９０度以下である。ボード（２）は水流からの推力によって、浮遊体（１）を流れに沿って移動させるのに用いられる。浮遊体（１）の速度は水流速度より小さくなるように制御すべきである。ボード（２）の外下縁と川底との間に所定間隔が形成され、浮遊体（１）が移動する時、水流は圧出されて、高速で上記間隔を流れ過ぎる。したがって、川底の土砂が撹乱され、撹乱された砂は、水流に沿って押し流されることとなる。
【００１０】
本実施例において、 柔軟性鎖（４）を利用して浮遊体（１）を回転盤（３）に連結する。柔軟性鎖（４）の一端は、浮遊体（１）に固定接続され、柔軟性鎖（４）の他端は回転盤（３）に巻き付けられる。浮遊体（１）が、水流からの推力によって、水流に沿って移動している間、 柔軟性鎖（４）を牽引する回転盤（３）が一緒に回転する。実際の実施において、柔軟性鎖（４）と回転盤（３）を使用する長所は、浮遊体（１）に対して制御を実行可能となること並びに浮遊体（１）が所定距離を移動した後、柔軟性鎖（４）を巻くことによって、浮遊体（１）を元の位置に戻すことができることである。
【００１１】
本実施例にかかる攪砂システムの攪砂過程は具体的には、 まずボードを水流に挿入して、ボードが水流からの推力を受ける。これにより、浮遊体が、水流に沿って移動することとなる。この間、ボードが水流を阻隔する一方で、水流がボードの外縁と川底との間の間隔を流れる。この結果、川底の土砂は、撹乱されるとともに押し出され、浮遊体が通過した川底の土砂は全て撹乱されて押し流される。この過程で、浮遊体が柔軟性鎖を牽引して回転盤から解き、回転盤は柔軟性鎖が解ける方向に沿って回転する。
【００１２】
本実施例の攪砂システムは、始終水流を横切るボードで水流を阻隔して、ボードの外縁と川底との間の間隔を流れる水流の運動エネルギを高めるとともに、水流の運動エネルギを充分に利用して土砂を直接撹乱して押し出して、水災を根治することができ、高い攪砂効果を得ることができる。そして、本実施例のシステムの設備構造は簡単であり、広い水域で大規模な攪砂工程を実施することができる。 特に黄河水域に設置するのに好適である。黄河水流は土砂積載量が大きく、船の運行に不向き故、広い水域を利用して、本実施例の攪砂システムを構築して、大型攪砂工程を形成することができる。大型攪砂工程において、 黄河の水流量に応じて、ボードまたは浮遊体の幅を定め、最大限で攪砂を進行することができる。また、黄河中流の川筋から黄河入海口まで、複数組の攪砂船を連続設置して、 攪砂船の撹乱を通じて川底の土砂の堆積を緩和するとともに土砂を押し出して、川底の断面形態を変化させる。すなわち断面を狭く且つ深く変形させる。本実施例の砂が撹乱された水流の砂輸送潜在力は、大量の砂を海へ輸送することができる程度のものである。特に川底を撹乱して粗砂を海へ輸送して、川の砂輸送能力を向上させることができる。本実施例の攪砂システムを広範囲に用いると、黄河の「地上懸河」状態を根本的に改善することができる。
【００１３】
黄河が氾濫する時においても、本実施例の攪砂船は短い時間以内に、川底を広くすることができ、川の水流量を増加させ、黄河の水災も根治することができる。本実施例の攪砂システムは発電機（５）を更に備える。発電機（５）は変速器（９）を通じて回転盤（３）の回転軸と接続する。回転盤（３）が回転すると、発電機（５）の発電がなされる。
上記の技術的思想は、浮遊体とボードの構造を使って攪砂効果を実現するだけではなく、水流に沿って下流に向かう浮遊体を利用して回転盤を回転させるとともに、回転盤の回転を発電機に伝達して発電することができる。
【００１４】
（攪砂システム実施形態２）
図４は本考案にかかる攪砂システムの第２の実施形態の構成を示した図面である。
図４に示すように、本実施例は、上述の実施例１を基礎として、第１動力装置（６）を更に設置する。第１動力装置（６）は電動機などとすることができ、回転盤（３）と接続され、攪砂を終えるとき、回転盤（３）を駆動して回転させる。回転盤（３）の回転によって、柔軟性鎖（４）が巻かれ、浮遊体（１）が水流に逆らって運行することとなり、柔軟性鎖（４）が回転盤（３）に再度巻かれることとなる。
本実施例の技術的思想では、浮遊体を水流に沿って運行させて、砂を撹乱することができるだけでなく、動力装置の駆動によって水流と逆向きに運行して出発点に戻すことができ、次の攪砂を開始することができる。
【００１５】
図５に示すように、攪砂を停止して、浮遊体（１）が水流と逆方向に運行する過程中、 ボード（２）を水流から移出して抵抗力を減少するのが好ましい。具体的には、ボード（２）の一端を浮遊体（１）と枢軸連結する。ボード（２）と浮遊体（１）との間の枢着軸（７）は水平に設置される。枢着軸（７）には、第２動力装置（８）を接続することができる。図５に示すように、浮遊体（１）が水流に沿って運行しながら、砂を撹乱するとき、第２動力装置（８）で枢着軸（７）を駆動して回転させる。これにより、ボード（２）が回転し、ボード（２）と川底との間の間隔を変更可能となる。浮遊体（２）が水流と逆向きに移動しているとき、攪砂を停止させ、第２動力装置（８）で枢着軸（７）を駆動して回転させる。これにより、ボード（２）が回転し、ボード（２）が水流から移出する。すなわち、ボード（２）が水面上まで回転することとなる。
上記の技術的思想において、浮遊体と枢軸連結されたボードは簡便に位置変換することができる。また、水流に沿って運行しながら、砂を撹乱している間、ボードを水に挿入し、水流に逆向きに運行しながら砂撹乱を停止している間、ボードを水から移出して抵抗力を減らすことができる。水流に沿って運行し、砂を撹乱している間、徐々にボードの水への進入角度を調整することで、ボードが受ける推進力を調整して、変化し続ける実際の作業要求に適応することができる。
【００１６】
（攪砂システム実施形態３）
図６は本考案にかかる攪砂システムの第３の実施形態の構成を示す図面である。
図６に示すように、本実施例は上述の第２の実施例を基礎として、順次、水流方向に沿って複数個の攪砂船を直列で設置して、各攪砂船の浮遊体（１）の前後は柔軟性鎖（４）を通して接続される。
本実施例の技術的思想では、複数個の浮遊体が同時に水流に沿って運行しながら、砂を撹乱することができるとともに、１つの動力装置の駆動によって水流と逆方向に運行して出発点に戻ることができる。
【００１７】
本実施例の複数個の浮遊体（１）は、水流に沿って運行しながら砂を撹乱させる。この間、複数個のボード（２）を同時に水に挿入する。攪砂を停止している間、複数個の浮遊体（１）は水流に逆向きに運行する。この間、複数個のボード（２）は水流から取り出され、抵抗力が減少する。具体的には、 複数個の浮遊体（１）が水流に沿って運行しながら攪砂する。このとき、第２動力装置（８）は各浮遊体（１）の枢着軸（７）を駆動して回転する。したがって、各ボード（２）が回転し、各ボード（２）と川底との間の所定間隔が維持されることとなる。各浮遊体（１）が水流に逆向きに運行している間、攪砂を停止させる。第２動力装置（８）は、各浮遊体（１）の枢着軸（７）を駆動して回転する。これにより、ボード（２）を水流から移出するまで回転させる。上述の技術的思想において、 水流方向に沿って直列で設置された複数個の攪砂船により、複数個の浮遊体が同時に水流に沿って運行しながら、川底土砂の撹乱を高め、また１つの動力装置で回転盤を駆動して回転させて、第１の柔軟性鎖を巻いてすべての浮遊体を水流と逆方向に運行するようにする。
本実施例において、 発電機（５）を更に設置して、変速器（９）を通じて回転盤（３）の回転軸と連結することができる。本実施例の複数個の攪砂船が水流に沿って運行している間、水流からの複数個のボード（２）に対する推進力は大きく増加される。したがって、回転盤（３）が回転するときの発電機（５）の発電効率も向上することとなる。
【００１８】
（攪砂システム実施形態４）
図７は本考案にかかる攪砂システムの第４の実施形態の構成を示す図面である。
図７に示すように、本実施例の技術的思想において、回転盤（３）の個数は１つであり、 浮遊体は２つである。即ち、第１浮遊体（１１）と第２浮遊体（１２）である。２つの浮遊体とそれぞれ接続された第１柔軟性鎖（４１）と第２柔軟性鎖（４２）はそれぞれ滑車組を通じて、上記の回転盤（３）と接続される。具体的には、第１浮遊体（１１）の第１柔軟性鎖（４１）は第１滑車（１０１）を通じて川辺に設置された回転盤（３）と接続される。第２浮遊体（１２）の第２柔軟性鎖（４２）は第２滑車（１０２）、 第３滑車（１０３）と第４滑車（１０４）を通じて、川辺に設置された回転盤（３）と接続される。第１浮遊体（１１）と第２浮遊体（１２）の運行線路は直列であるが、水流方向で重なることはない。
【００１９】
実際の作動のとき、回転盤に独立的に巻き付けられた２つの柔軟性鎖のうち、１つの柔軟性鎖は巻き付けられた状態であり、 他の１つは解かれた状態である。１つの浮遊体は水流からの推力によって水流に沿って運行しながら、水流を阻隔して砂を撹乱し、これと同時に回転盤を回転する。他の１つの浮遊体は、回転盤の回転に引かれて水流と逆向きに運行する。すなわち２つの浮遊体は水流に対して順方向・逆方向で交替的に運行する。
更に、本実施例の発電機（５）は変速器（９）、換向器（１０）を通じて回転盤（３）の回転軸と接続される。２つの浮遊体（１）が順方向と逆方向で交替的に運行する時、 換向器（１０）は回転盤（３）の回転軸の回転方向を変更し、発電機（５）が持続的に発電することができるようにする。
本実施例の技術的思想は、２つの浮遊体が交替的に攪砂を進行するとともに、運行範囲が重なることなく、浮遊体と柔軟性鎖が互いに巻き付くことが防止される。
【００２０】
（攪砂システム実施形態５）
図８は本考案にかかる攪砂システムの第５の実施形態の構成を示す図面である。
図８に示すように、本実施例において、 回転盤の個数は２つである。即ち、第１回転盤（３１）と第２回転盤（３２）である。その上には、それぞれ１つの柔軟性鎖が巻き付けられる。すなわち、第１柔軟性鎖（４１）と第２柔軟性鎖（４２）である。また、第１柔軟性鎖（４１）と第２柔軟性鎖（４２）のうち一方の柔軟性鎖は巻き付けられた状態であり、他の１つの柔軟性鎖は解けた状態である。発電機（５）の個数は１つであり、第１回転盤（３１）と第２回転盤（３２）の回転軸と接続された第１変速器（９１）と第２変速器（９２）は、それぞれ第１クラッチ装置（１０５）と第２クラッチ装置（１０６）を通じて発電機（５）と接続される。第１クラッチ装置（１０５）と第２クラッチ装置（１０６）は具体的にはクラッチあるいはラチェットである。また、第１回転盤（３１）の 回転軸の他端は、第４動力装置（１０７）と接続され、第２回転盤（３２）の回転軸の他端は、第５動力装置（１０８）と接続される。各柔軟性鎖の一端はそれぞれ１つの浮遊体と接続される。即ち、第１浮遊体（１１）と第２浮遊体（１２）である。第１浮遊体（１１）と第２浮遊体（１２）のうち１つの浮遊体は水流から推力によって水流に沿って運行し、上記の回転盤を回転して発電機（５）を回転させながら発電する。他の１つの回転盤に接続されたクラッチ装置は他の１つの回転盤の回転軸と発電機（５）を分離させる。 次に、他の１つの回転盤は自身の動力装置の駆動によって回転して、接続された浮遊体を水流と逆向きに運行させる。２つの浮遊体の柔軟性鎖は滑車組を通じて各自の回転盤と接続され、２つの浮遊体の運行範囲は水流方向で重なることはない。
【００２１】
本実施例において、更に回転盤、柔軟性鎖及び浮遊体で構成された組合せを２組使うことができる。２つの浮遊体は交替的に攪砂を進行して、２つの回転盤を通じて、１つの発電機を発電させて、クラッチ装置を通じて回転盤と発電機との間の結合と分離を制御する。２つの浮遊体は交替的に順流発電と逆流回帰して、また動力装置で浮遊体を駆動して逆流回帰させる。これによって、発電機は２つの回転盤によって持続的な発電を実現することができる。浮遊体の逆流回帰速度は、他の浮遊体の順流運行速度より大きくすることが好ましい。これによって回帰する浮遊体のボードを収める等の作業に要する時間を保障することができ、発電効率の突然の変化を防止して、発電機の持続的な発電を保障することができる。
【００２２】
（攪砂システム実施形態６）
図９は本考案にかかる攪砂システムの第６の実施形態の構成を示す図面である。
図９に示すように、本実施例において、浮遊体（１）にエンジン等の第３動力装置（１０９）を設置して、攪砂の時、浮遊体（１）の運行を駆動するのに用い、浮遊体（１）と水流との間に速度差が形成されるようにする。この速度差は予め設定された値であり、したがって、この速度差は正向速度差あるいは負向速度差である。この予め設定された速度差が正向速度差の場合、第３動力装置（１０９）は浮遊体（１）を水流と同方向に運行させる。上記の予め設定された速度差が負向速度差の場合、第３動力装置（１０９）は浮遊体（１）を水流と逆向きに運行させる。本実施例で第３動力装置（１０９）の出力に対する制御を通じて、浮遊体と水流の相対速度差が予め設定された値になるようにする。すなわち、浮遊体（１）が水流と逆向きに運行するとき、第３動力装置（１０９）の出力は浮遊体（１）が水流に沿って運行するときの出力より非常に大きい。
本実施例の攪砂システムは第３動力装置を通じて浮遊体を駆動して、水流と所定速度差を形成し、これに応じて、ボード外縁と川底との間の間隔を流れる水流の運動エネルギを向上させ、浮遊体が好適に攪砂を進行することができる。
【００２３】
上述した実施形態は、本考案を説明するために例示的に挙げたものにすぎず、本考案を何ら限定するものではない。当業者は、本考案の要旨を逸脱しない範囲において、上述の実施形態に対して様々な修正或いは均等物との置換を加えることができ、そのような修正及び置換は、保護が要求されている本実用新案の技術的思想の範囲内に属するものであることは明らかである。
【符号の説明】
【００２４】
１・・・・浮遊体
２・・・・ボード
３・・・・回転盤
４・・・・柔軟性鎖
５・・・・発電機
６・・・・第１動力装置
７・・・・枢着軸
８・・・・第２動力装置
９・・・・変速器
１０・・・換向器
１１・・・第１浮遊体
１２・・・第２浮遊体
３１・・・第１回転盤
３２・・・第２回転盤
４１・・・第１柔軟性鎖
４２・・・第２柔軟性鎖
１０１・・第１滑車
１０２・・第２滑車
１０３・・第３滑車
１０４・・第４滑車
１０５・・第１クラッチ装置
１０６・・第２クラッチ装置
１０７・・第４動力装置
１０８・・第５動力装置
１０９・・第３動力装置
【図１】
0003149885.tif 000003
【図２】
0003149885.tif 000004
【図３】
0003149885.tif 000005
【図４】
0003149885.tif 000006
【図５】
0003149885.tif 000007
【図６】
0003149885.tif 000008
【図７】
0003149885.tif 000009
【図８】
0003149885.tif 000010
【図９】
0003149885.tif 000011